【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
軸筒内を長手方向に摺動するレフィールと、このレフィールと共に軸筒内を移動する内筒と、この内筒の前部に回動自在に設けられかつ軸筒又は先具に係止される係止突起を備えかつ内筒の前面開口を開閉する蓋とから構成されてなることを特徴とするキャップレス筆記具。
【請求項２】
請求項１のキャップレス筆記具において、軸筒は先軸と後軸とからなり、これらの先軸と後軸とを接続する中ネジがストッパを兼用してなるキャップレス筆記具。
【請求項３】
請求項１のキャップレス筆記具において、さらにレフィールと内筒の内周壁との間にＯリングを介在せしめてなるキャップレス筆記具。
【請求項４】
請求項１のキャップレス筆記具において、内筒と合わさる蓋の面を軟質部材で形成してなるキャップレス筆記具。
【請求項５】
請求項１のキャップレス筆記具において、内筒の先端部に軟質部を設けてなるキャップレス筆記具。
【請求項６】
請求項１のキャップレス筆記具において、蓋の開閉時に軸筒の先部又は先具の内壁に蓋が当接しないように、軸筒の先部又は先具に窓孔を形成してなるキャップレス筆記具。
【請求項７】
請求項１のキャップレス筆記具において、上記レフィールに形成された係止突条と内筒の内壁に形成されたリブとの係合によってレフィールと共に内筒を後退せしめてなるキャップレス筆記具。
【請求項８】
請求項１のキャップレス筆記具において、上記内筒の前面開口を開閉する蓋は、係止爪を有する係止突起を備え、内筒の開口を開放している状態ではこの係止突起が軸筒または先具の側面に形成された係止部の前方に係止されてなるキャップレス筆記具。
【請求項９】
請求項１のキャップレス筆記具において、上記内筒の前面開口を開閉する蓋は、係止爪を有する係止突起を備え、内筒の開口を閉鎖している状態では、この係止爪が軸筒又は先具の側面に形成された係止部の後方に係止されてなるキャップレス筆記具。
【手続補正２】
【補正対象書類名】明細書
【補正対象項目名】全文
【補正方法】変更
【補正の内容】
【発明の詳細な説明】
【発明の名称】キャップレス筆記具
【技術分野】
【０００１】
この発明は、マーカー、サインペン、修正液などの揮発性インキを用いる筆記体を備えた開閉式蓋付きのいわゆるキャップレス筆記具に関する。
【背景技術】
【０００２】
しかしながら、これらのものは蓋の開閉操作が円滑でなく、かつその開閉が不確実であって、蓋へのインキ付着などにより密閉不良による筆記体の乾燥のおそれがあった。
【０００３】
【特許文献１】実開平５−４９３８２号公報
【発明の開示】
【発明が解決しようとする課題】
【０００４】
この発明の解決しようとする問題点は、蓋の開閉操作が不確実である点および蓋へのインキ付着などによる密閉不良及び筆記体の乾燥である。
【課題を解決するための手段】
【０００５】
この発明は、軸筒内を長手方向に摺動するレフィールと、このレフィールと共に軸筒内を移動する内筒と、この内筒の前部に回動自在に設けられかつ軸筒又は先具に係止される係止突起を備えかつ内筒の前面開口を開閉する蓋とから構成されてなることにより、蓋の確実な開閉操作をノック操作と連動して行えることを主要な特徴とする。
【発明の効果】
【０００６】
この発明のキャップレス筆記具は、蓋の開閉が内筒に枢着された支軸によって回動自在に設けられこの蓋の係止爪を有した係止突起が、軸筒又は先具の側面に形成された係止部に係止されることにより、蓋の確実な開閉操作をノック操作と連動してワンタッチで行えるという利点がある。
【発明を実施するための最良の形態】
【０００７】
蓋の開閉が蓋の内筒に枢着された支軸によって回動自在に設けられこの蓋の係止爪を有した係止突起が、軸筒又は先具の側面に形成された係止部に係止されることにより、蓋の確実な開閉操作を行える。
【実施例１】
【０００８】
図１及び図２は、この発明に係るキャップレス筆記具の一実施例の縦断面図であって、図１は筆記体の収納状態を示し、図２は筆記体が突出された筆記可能状態を示す。図において、キャップレス筆記具は、先具が一体化されたいわゆる一本軸からなる軸筒１から構成されてなり、この軸筒１内には揮発性インキが充填されたレフィール２が長手方向に摺動可能に収納されている。なお、このレフィール２の先端にはインキが送出される筆記体である先端チップ３が取り付けられている。
【０００９】
また、このレフィール２の後端には公知の回転カム４が当接しており、この回転カム４の後部にはノック操作がなされるノックカム５が係合している。なお、軸筒１とこれらのカムとの間にはプラスチックの尾冠６が設けられている。より詳しく述べると、尾冠６は軸筒１の後部内に固設されており、この尾冠６の内周には回転カム４の先端突起４ａが係合案内されるカム溝が形成されている。
【００１０】
さらに、この筆記具の軸筒１の前部内周にはストッパとしてのストッパ筒７が固設されている。このストッパ７の前部は縮径部７ａに形成されており、さらにその前端は内フランジ７ｂを有している。そして、この内フランジ７ｂとレフィール２の段部２ａとの間にはリターンスプリング８が設けられており、常時レフィール２を後方に付勢している。一方、ストッパ筒７の縮径部７ａの外側には作動スプリング９が巻装されており、その先端は内筒１０の外周壁１０ｂの後端に当接して内筒１０を常時前方に付勢している。
【００１１】
なお、この内筒１０について説明すると、内周壁１０ａと、この内周壁１０ａと接続された外周壁１０ｂとからなり、内周壁１０ａの前面は傾斜開口１０ｃが形成されている。即ち、この傾斜開口１０ｃを形成している内筒１０の内周壁１０ａは係止部１ａ側に向かって斜めにカットされており、かつ内周壁１０ａの後端部の内側にはリブ１０ｄを有している。そして、このリブ１０ｄはレフィール２の前部外周に形成された係止突条２ｂと係止されている。
【００１２】
次に、内筒１０の傾斜開口１０ｃを開閉している開閉蓋１１について説明する。この蓋１１は、その支点が内筒１０に枢着された支軸１２によって回動自在に設けられている。そして、蓋１１の上端部は、蓋１１が内筒１０の開口１０ｃを閉鎖している状態では軸筒１に形成された係止部１ａの後端に係止されている。即ち、この蓋１１の折曲げられた係止突起１１ａは、後方に向けられた係止爪１１ｂを有して軸筒１の係止部１ａ内にあり、レフィール２がノックされると係止部１ａの後端の係止爪１１ｂが解除されて筆記体である先端チップ３が突出するようにされている。
【００１３】
次に、この発明に係るキャップレス筆記具の動作について説明する。
まず、ノックカム５の後端をノック操作してカム機構を作動せしめると、レフィール２が前方に移動する。このレフィール２の前方への移動によって、レフィール２の前方に形成されている係止突条２ｂによって押さえられていた内筒１０が作動スプリング９の反発力によって、レフィール２と共に前方に移動する。すると、蓋１１に形成された係止爪１１ｂを有する係止突起１１ａは、レフィール２の前方移動と共に内筒１０も前方に移動することで、軸筒１に形成された係止部１ａの前端面と当接し、支軸１２を支点として蓋１１を跳ね上げて確実に開放することが出来る。そしてこの筆記状態では、内筒１０は常に作動スプリング９で前方へ押された状態なので、蓋１１は開いている。
【００１４】
他方レフィール２の収納時は、レフィール２が後方へ移動することにより、レフィール２の前方に形成されている係止突条２ｂが内筒１０に形成されているリブ１０ｄと係合し、レフィール２の移動と共に内筒１０も後方に移動することによって、蓋１１に形成された係止突起１１ａは、軸筒１に形成された係止部１ａの後端面と当接し、支軸１２を支点に内筒１０の前端の傾斜開口１０ｃを確実に密閉することが出来る。即ち、レフィール２の前方に形成されている係止突条２ｂが内筒１０に形成されているリブ１０ｄと係合することによって、この部分で密閉（シール）し、蓋１１とあわせて、密封空間を確保することが出来る。
【００１５】
図３によれば、レフィール２が後方へ後退することにより、内筒１０が後退し、軸筒１の側壁に形成された、係止部１ａの後端面に蓋１１の係止突起１１ａが当接し、蓋１１は支軸１２を支点に回動して、強制的に蓋１１を閉めている状態が明らかである。
【００１６】
また、図４によれば、内筒１０の先部には内面取りがあり、蓋１１のテーパ部と合わさることによって、より確実に密閉することが出来ることが明らかである。
【００１７】
さらに、図５は上記第１実施例の変形例によるキャップレス筆記具を示し、この図によれば、蓋１１と内筒１０の密閉性を高めるため、蓋１１又は内筒１０の端部に軟質部材１４を使用している。また、Ｏリング１３をレフィール２の外周に形成された環状溝と内筒１０の内周壁１０ａとの間に入れることにより、より密封性を確実にすることができる。
【００１８】
また、図６は上記実施例の他の変形例によるキャップレス筆記具を示し、レフィール２に形成されている係止突条２ｂと内筒１０に形成されたリブ１０ｄとの係合により、レフィール２の後退に合わせて内筒１０も後退でき密封する効果があることが明らかである。なお、この例では図５の例と異なり、Ｏリングが内筒１０の内周壁１０ａ内側に形成された環状溝内に装着されている。
【００１９】
さらに、内筒１０の内周壁１０ａの先端面と蓋１１との合わさる接触部分をテーパにすることによって、より密閉効果を上げることが出来る。
【００２０】
また、蓋１１には、内筒１０と合わさる面に軟質部材１４を使用することで、より密閉効果を上げることが出来る。
【００２１】
逆に、内筒１０の先端部に軟質部材を設けることでも、同様の密閉効果が得られる。
【００２２】
なお、蓋１１の開閉において、直接蓋１１に筆記体である先端チップ３が当たらず、開閉が行えるので、蓋部１１へのインキの付着による密閉不良及び筆記体の乾燥を完全に防止することが出来る。
【実施例２】
【００２３】
次に、図７〜図９は、この発明の実施例２によるキャップレス筆記具を示す。図において、軸筒１は、先軸２１と後軸２２とからなり、ストッパとしての中ネジ２３によって連結されている。即ち、後軸２２の先端内周には雌ネジ部が形成されており、この雌ネジ部には中ネジ部材２２の雄ネジと螺合して取り付けられている。なお、中ネジ２３と先軸２１とは嵌合により取り付けられている。そして先軸２１と後軸２２とは中ネジ２３の環状リブ２３ａをはさんだ状態で接続されている。
【００２４】
そして、先軸２１の側壁には蓋１１を受けるための窓孔２４が形成されている。即ち、この窓孔２４は、蓋１１が先軸２１の内壁に当接して、そこを汚さないように逃げ孔として形成されている。なお、この実施例によるキャップレス筆記具は、上記実施例と異なり尾冠及び作動スプリング並びにストッパ筒がないが、その作用は同様である。
【００２５】
図８は、蓋１１が内筒１０の前面開口を閉鎖している状態を示し、この状態では蓋の突起１１ａは先軸２１の係止孔２１ａの後端に当接し、窓孔２４は塞がれていない。次に、ノックカム５がノックされてレフィール２が前進せしめられると、蓋１１も前進され突起１１ａは係止孔２１ａ内を前進してその前端に当接係止されるので蓋１１は支軸１２を中心に回動して押し上げられ窓孔２４内に収められ、筆記体は先軸２１の先端の開口から突出される。この場合、蓋１１が開かれた後に筆記体３が通過・前進されるので蓋１１が筆記体３によって汚されることがなく、蓋１１自体が汚れていても窓孔２４内に収められるので先軸２１自体も汚されない利点がある。
【００２６】
なお、上記実施例における筆記体の繰り出し操作は、回転機構を用いた後端ノック操作の例を示したが、その他の繰り出し操作方法を用いても良い。さらに、軸筒と別体に先具が軸筒に螺着されている場合には、蓋の突起が係止される貫通孔がこの先具の側壁に形成されても良い。
【図面の簡単な説明】
【００２７】
【図１】筆記体の収納状態を示すキャップレス筆記具の縦断面図である。（実施例１）
【図２】筆記体の突出収納状態を示すキャップレス筆記具の縦断面図である。
【図３】蓋を閉めた状態を示すキャップレス筆記具の要部拡大断面図である。
【図４】蓋を開いた状態を示すキャップレス筆記具の要部拡大断面図である。
【図５】キャップレス筆記具の要部拡大断面図である。
【図６】キャップレス筆記具の要部拡大断面図である。
【図７】筆記体の収納状態を示すキャップレス筆記具の縦断面図である。（実施例２）
【図８】筆記体の収納状態を示すキャップレス筆記具の要部拡大断面図である。
【図９】筆記体の突出状態を示すキャップレス筆記具の要部拡大断面図である。
【符号の説明】
【００２８】
１  軸筒
１ａ  係止部
２  レフィール
２ａ  段部
２ｂ  係止突条
３  先端チップ（筆記体）
４  回転カム
４ａ  先端突起
５  ノックカム（操作部材）
６  尾冠
７  ストッパ筒（ストッパ）
７ａ  縮径部
７ｂ  内フランジ
８  リターンスプリング
９  作動スプリング
１０  内筒
１０ａ  内周壁
１０ｂ  外周壁
１０ｃ  傾斜開口
１０ｄ  リブ
１１  蓋
１１ａ  係止突起
１１b 係止爪
１２  支軸
１３  Ｏリング
１４  軟質部材
２１  先軸
２２  後軸
２３  中ネジ（ストッパ）
２３ａ  環状リブ
２４  窓孔